(57)【特許請求の範囲】
【請求項１】
検索のための画像を送信することにより、画像蓄積サーバから利用者が所望する画像を取得する携帯電話機であって、
１以上の代替画像を記憶している記憶手段と、
撮影により撮影画像を形成するカメラ手段と、
キーワードの入力を受け付ける入力手段と、
前記撮影画像が手書きされたものであるか否かを判断する判断手段と、
手書きと判断される場合に、前記記憶手段から撮影画像に類似する代替画像の抽出を試みる抽出手段と、
前記撮影画像が手書きされたものである場合は、抽出された代替画像と前記カメラ手段により画像が形成された後に前記入力手段により入力された前記キーワードとを前記画像蓄積サーバに送信し、前記撮影画像が手書きされたものでない場合は、前記撮影画像と前記カメラ手段により画像が形成された後に前記入力手段により入力された前記キーワードとを前記画像蓄積サーバに送信する送信手段と
を備えることを特徴とする携帯電話機。
【請求項２】
前記記憶手段は、前記代替画像を記憶している代替画像領域と、その他のデータを記憶するための一般領域とを備えており、
前記抽出手段は、前記代替画像領域から、前記代替画像を抽出する
ことを特徴とする請求項１に記載の携帯電話機。
【請求項３】
前記代替画像領域は、前記代替画像に対応付けて、さらに、当該代替画像を特徴付けるキーワードを記憶しており、
前記抽出手段は、さらに、抽出した前記代替画像に対応付けられた前記キーワードを抽出し、
前記送信手段は、前記代替画像を送信する際に、さらに、抽出された前記キーワードを送信する
ことを特徴とする請求項２に記載の携帯電話機。
【請求項４】
前記携帯電話機は、さらに、
利用者が所望する画像を構成する主色彩を示す色彩情報を取得する色彩取得手段を含み、
前記送信手段は、さらに、取得した前記色彩情報を送信する
ことを特徴とする請求項１に記載の携帯電話機。
【請求項５】
前記色彩取得手段は、利用者の指示により、前記カメラ手段に対して、さらに、
撮影により撮影画像を形成するように制御し、
前記撮影画像は、利用者が所望する画像を構成する主色彩を表現しており、
前記送信手段は、前記色彩情報として、前記撮影画像を送信する
ことを特徴とする請求項４に記載の携帯電話機。
【請求項６】
前記色彩取得手段は、
複数の色見本を表示する表示部と、
表示された複数の色見本から１の色見本の指定を受け付ける受付部と、
指定を受け付けた色見本に表現された色彩を示す色彩値を取得する取得部と
を備え、
前記送信手段は、前記色彩情報として、取得した前記色彩値を送信する
ことを特徴とする請求項４に記載の携帯電話機。
【請求項７】
前記送信手段は、前記撮影画像が手書きされたものである場合において代替画像が抽出されなかったときは、前記撮影画像と前記キーワードとを前記画像蓄積サーバに送信する
ことを特徴とする請求項１に記載の携帯電話機。
【発明の詳細な説明】
【技術分野】
【０００１】
画像検索を行うために、撮影機能を利用して撮影画像を生成し、撮影画像をネットワークを介して送信する携帯電話機に関する。
【背景技術】
【０００２】
従来より、例えば、インターネットの検索サイトのように、キーワードを入力することにより、ネットワークを介して、所望のデータ（画像データを含む）を検索することはよく知られている。
特許文献１によると、情報処理装置を用いた検索や翻訳などにおけるユーザインタフェイスの向上を計るために、画像データを取り込む携帯端末と、該携帯端末によって取り込まれた画像データを受信し、画像データに含まれる文字を認識し、上記携帯端末側で指定されたサービスをその認識した文字に基づいて実行する情報処理装置と、を有する画像データ処理システムが開示されている。
【特許文献１】特開平１０−１３４００４号公報
【特許文献２】特開２０００−７６３０２号公報
【発明の開示】
【発明が解決しようとする課題】
【０００３】
上記の従来技術によると、画像データに含まれる文字を基にして検索を行うので、検索条件の指定が容易であるものの、しかしながら、画像データに描かれる文字には個人差があり、ていねいに描かれた文字の場合には、文字認識率が高く、乱雑に描かれた文字の場合には、文字認識率が低くなるので、画像データに描かれた文字によっては、利用者が全く意図しない画像が検索されるおそれがあるという問題点がある。
【０００４】
上記の問題点を解決するために、本発明は、画像蓄積サーバから利用者の所望する画像が取得できるように、手書きされた画像の程度によらず、手書きされた画像を用いて、検索のための適切な画像を取得して送信する携帯電話機を提供することを目的とする。
【課題を解決するための手段】
【０００５】
上記目的を達成するために、本発明は、検索のための画像を送信することにより、画像蓄積サーバから利用者が所望する画像を取得する携帯電話機であって、１以上の代替画像を記憶している記憶手段と、撮影により撮影画像を形成するカメラ手段と、キーワードの入力を受け付ける入力手段と、前記撮影画像が手書きされたものであるか否かを判断する判断手段と、手書きと判断される場合に、前記記憶手段から撮影画像に類似する代替画像の抽出を試みる抽出手段と、前記撮影画像が手書きされたものである場合は、抽出された代替画像と前記カメラ手段により画像が形成された後に前記入力手段により入力された前記キーワードとを前記画像蓄積サーバに送信し、前記撮影画像が手書きされたものでない場合は、前記撮影画像と前記カメラ手段により画像が形成された後に前記入力手段により入力された前記キーワードとを前記画像蓄積サーバに送信する送信手段とを備えることを特徴とする携帯電話機。
【発明を実施するための最良の形態】
【０００９】
本発明に係る１個の実施の形態としての画像検索システム１について説明する。
１．画像検索システム１の構成
画像検索システム１は、図１に示すように、携帯電話１００と画像サーバ装置４０とから構成される。携帯電話１００は、無線基地局１０、携帯電話網２０及びインターネット３０を介して、画像サーバ装置４０と接続されている。
【００１０】
画像サーバ装置４０には、複数の提供用画像データが蓄積されている。
携帯電話１００は、携帯電話１００の利用者が所望する提供用画像データを検索するための条件を示す検索情報を、無線基地局１０、携帯電話網２０及びインターネット３０を介して、画像サーバ装置４０へ送信する。
画像サーバ装置４０は、前記の経路を介して、前記検索情報を受信すると、内部に蓄積している提供用画像データから、受信した前記検索情報により示される条件に合致する提供用画像データを検索して抽出し、抽出した提供用画像データを、インターネット３０、携帯電話網２０、無線基地局１０を介して、携帯電話１００へ送信する。
【００１１】
携帯電話１００は、前記提供用画像データを受信し、受信した前記提供用画像データを内部に記憶し、利用者の指示に応じて、記憶している前記提供用画像データを表示する。
２．携帯電話１００
携帯電話１００は、図１に示すように、アンテナ１０１、無線通信部１０２、通信制御部１０３、スピーカ１０４、ＤＡ変換部１０５、マイク１０６、ＡＤ変換部１０７、制御部１０８、記憶部１０９、画像圧縮部１１０、カメラ部１１１、入力部１１２、表示部１１３及び画像伸張部１１４から構成されている。
【００１２】
携帯電話１００は、具体的には、汎用マイクロプロセッサ、信号処理プロセッサ、ＲＯＭ、ＲＡＭ、ハードディスクユニット、液晶ディスプレィユニット、テンキーキーボードなどから構成されるコンピュータシステムである。前記ＲＡＭには、コンピュータプログラムが記憶されている。前記マイクロプロセッサ及び信号処理プロセッサが、前記コンピュータプログラムに従って動作することにより、携帯電話１００は、その一部の機能を達成する。
【００１３】
（１）記憶部１０９
記憶部１０９は、ハードディスクユニットから構成される大容量の記憶ユニットである。記憶部１０９は、後述する蓄積画像を記憶している代替画像領域と、その他の各種のデータを記憶するための一般領域を備えている。
前記代替画像領域は、複数の蓄積画像を予め記憶している。これらの蓄積画像は、代替画像とも呼ばれる。各蓄積画像は、山の風景、海の風景、人物、馬、猫、犬などの動物、高層ビル、橋、寺院などの建造物などを写して形成される画像データである。
【００１４】
（２）通信制御部１０３、無線通信部１０２及びアンテナ１０１
無線通信部１０２は、アンテナ１０１により受信した無線周波数信号を増幅し、出力信号をＩＦ信号に変換し、ＩＦ信号を増幅し、増幅されたＩＦ信号をベースバンド信号に復調し、また、ベースバンド信号により高周波数信号を変調し、その出力を無線周波数に変換し、無線周波数を増幅しアンテナ１０１へ出力する。通信制御部１０３は、ベースバンド信号を生成して無線通信部１０２へ出力し、また、無線通信部１０２からベースバンド信号を受け取る。
【００１５】
こうして、通信制御部１０３、無線通信部１０２及びアンテナ１０１は、無線基地局１０、携帯電話網２０、インターネット３０を介して接続されている画像サーバ装置４０との間で、情報の送受信を行う。
（３）スピーカ１０４、ＤＡ変換部１０５、マイク１０６及びＡＤ変換部１０７
マイク１０６は、利用者の音声をアナログの音声電気信号に変換し、ＡＤ変換部１０７は、アナログの音声電気信号をデジタルの音声情報に変換し、生成した音声情報を通信制御部１０３へ出力する。
【００１６】
ＤＡ変換部１０５は、通信制御部１０３からデジタルの音声情報を受け取り、受け取った音声情報をアナログの音声電気信号に変換し、スピーカ１０４は、音声電気信号を音として出力する。
（４）カメラ部１１１、画像圧縮部１１０及び画像伸張部１１４
カメラ部１１１は、レンズ、ＣＣＤなどから構成され、制御部１０８の指示により、レンズを経由して外部から入射された光線を、ＣＣＤが受光して電気信号に変換して、撮影画像データを形成する。
【００１７】
画像圧縮部１１０は、制御部１０８の制御により、カメラ部１１１により形成された撮影画像データに、量子化、ＤＣＴ（離散コサイン変換）及び可変長符号化を施して、圧縮画像データを生成し、生成した圧縮画像データを記憶部１０９へ書き込む。
画像伸張部１１４は、制御部１０８の指示により、記憶部１０９から圧縮画像データを読み出し、読み出した圧縮画像データに、可変長復号、逆ＤＣＴを施して、再生画像データを生成し、生成した再生画像データを表示部１１３へ出力する。
【００１８】
（５）入力部１１２及び表示部１１３
入力部１１２は、テンキー、電源ボタン、十字キー、決定キー及びその他のキーから構成され、これらのキーは、利用者により操作される。これらのキーが利用者により操作されると、入力部１１２は、当該キーに対応する指示情報を制御部１０８へ出力する。
表示部１１３は、具体的には、液晶ディスプレィユニットから構成され、制御部１０８の制御により、各種のデータを表示する。
【００１９】
表示部１１３により表示される画面の一例として、撮影画像表示画面２００、画像キーワード入力画面２１０及びその他キーワード入力画面２２０を図２に示す。
図２に示すように、撮影画像表示画面２００は、撮影画像表示部２０１、操作コマンド部２０２、２０３、２０４、２０５及び２０６から構成される。
撮影画像表示部２０１には、画像伸張部１１４により生成された再生画像データが表示される。
【００２０】
操作コマンド部２０２、２０３、２０４、２０５及び２０６には、それぞれ、「〔画像キーワード〕」、「〔その他のキーワード〕」、「送信」、「決定」及び「戻る」が表示されている。また、操作コマンド部２０２、２０３のいずれかには、現時点で、どの操作コマンド部が選択されているかを示すフォーカスが表示がされている。図２では、操作コマンド部２０２に、フォーカスが表示がされている。
【００２１】
操作コマンド部２０２、２０３にフォーカスが表示されている状態で、入力部１１２の決定キーが操作されると、それぞれ、入力部１１２は、「〔画像キーワード〕」、「〔その他のキーワード〕」に対応する指示情報を制御部１０８へ出力する。その後、表示部１１３は、制御部１０８の制御により、それぞれ、画像キーワード入力画面２１０及びその他キーワード入力画面２２０を表示する。操作コマンド部２０４、２０５及び２０６には、それぞれ、入力部１１２を構成する一部のキーが対応しており、対応するキーが利用者により操作された場合に、当該キーに対応する指示情報を制御部１０８へ出力する。
【００２２】
また、図２に示すように、画像キーワード入力画面２１０は、タイトル表示部２１１、データ入力部２１２、操作コマンド部２１３及び２１４から構成されている。
タイトル表示部２１１には、画像キーワード入力画面２１０のタイトルである「画像キーワード入力」が表示される。また、データ入力部２１２には、利用者により操作されたテンキーに対応する文字が１個以上表示される。さらに、操作コマンド部２１３及び２１４には、それぞれ、「ＯＫ」及び「戻る」が表示される。
【００２３】
操作コマンド部２１３、２１４には、それぞれ、入力部１１２を構成する一部のキーが対応しており、対応するキーが利用者により操作された場合に、当該キーに対応する指示情報を制御部１０８へ出力する。
また、操作コマンド部２１３に対応するキーが利用者により操作された場合、入力部１１２は、データ入力部２１２に表示されている１又は複数の文字に対応する文字情報を制御部１０８へ出力する。この文字又は文字列は、画像キーワードである。ここで、画像キーワードとは、検索対象の所望画像自体に関連するキーワードであり、所望画像に直接的に関連するものである。
【００２４】
さらに、図２に示すように、その他キーワード入力画面２２０は、タイトル表示部２２１、データ入力部２２２、操作コマンド部２２３及び２２４から構成されている。
タイトル表示部２２１には、その他キーワード入力画面２２０のタイトルである「その他のキーワード入力」が表示される。また、データ入力部２２２には、利用者により操作されたテンキーに対応する文字が１個以上表示される。さらに、操作コマンド部２２３及び２２４には、それぞれ、「ＯＫ」及び「戻る」が表示される。
【００２５】
操作コマンド部２２３、２２４には、それぞれ、入力部１１２を構成する一部のキーが対応しており、対応するキーが利用者により操作された場合に、当該キーに対応する指示情報を制御部１０８へ出力する。
また、操作コマンド部２２３に対応するキーが利用者により操作された場合、入力部１１２は、データ入力部２２２に表示されている１又は複数の文字に対応する文字情報を制御部１０８へ出力する。この文字又は文字列は、その他のキーワードである。ここで、その他のキーワードとは、検索対象の所望画像に関する周辺情報であり、所望画像に間接的に関連する情報である。
【００２６】
例えば、インターネット機能付きの携帯電話機を検索したい場合、「画像キーワード」とは、携帯電話というものの名称、特徴色名などであり、「その他のキーワード」とは、インターネットという機能に関するものである。
（６）制御部１０８
制御部１０８について、図３〜図５に示すフローチャートを用いて説明する。
【００２７】
（全体の制御）
制御部１０８による画像検索における全体の制御について、図３に示すフローチャートを用いて説明する。
制御部１０８は、利用者から入力部１１２を介して、画像検索モードへの変更を受け付け、この変更を受け付けるとカメラ部１１１及び画像圧縮部１１０を起動する（ステップＳ１０１）。
【００２８】
次に、制御部１０８は、利用者から入力部１１２を介して、撮影の指示を受け付ける（ステップＳ１０２）。撮影の指示を受け付けると、カメラ部１１１及び画像圧縮部１１０に対して、撮影画像データを形成し、圧縮画像データを生成し、生成した圧縮画像データを記憶部１０９に書き込むように指示する（ステップＳ１０３）。
次に、制御部１０８は、画像伸張部１１４に対して、圧縮画像データから再生画像データを生成し、生成した再生画像データを表示部１１３へ出力するように指示する（ステップＳ１０４）。
【００２９】
次に、制御部１０８は、入力部１１２から指示情報を受け取る。画像キーワードとその他のキーワードとを示す指示情報を受け取った場合に、次に、入力部１１２から画像キーワードとその他のキーワードを受け取り（ステップＳ１０５でＹＥＳ、かつ、ステップＳ１０６でＹＥＳ）、制御部１０８は、後述するようにして画像データを画像サーバ装置４０へ送信するよう、通信制御部１０３を制御し（ステップＳ１０８）、受け取った画像キーワードとその他のキーワードとを画像サーバ装置４０へ送信するように、通信制御部１０３を制御する（ステップＳ１０９）。
【００３０】
画像キーワードを示す指示情報を受け取った場合に、次に、入力部１１２から画像キーワードを受け取り（ステップＳ１０５でＹＥＳ、かつ、ステップＳ１０６でＮＯ）、制御部１０８は、画像データを画像サーバ装置４０へ送信するよう、通信制御部１０３を制御部し（ステップＳ１１０）、受け取った画像キーワードを画像サーバ装置４０へ送信するように、通信制御部１０３を制御する（ステップＳ１１１）。
【００３１】
画像キーワードを示す指示情報を受け取った場合に、入力部１１２から画像キーワードを受け取り（ステップＳ１０５でＮＯ、かつ、ステップＳ１０６でＹＥＳ）、制御部１０８は、画像データを画像サーバ装置４０へ送信するよう、通信制御部１０３を制御し（ステップＳ１１２）、受け取った画像キーワードを画像サーバ装置４０へ送信するように、通信制御部１０３を制御する（ステップＳ１１３）。
【００３２】
画像キーワード及びその他のキーワードを示す指示情報を受け取らない場合に（ステップＳ１０５でＮＯ、かつ、ステップＳ１０６でＮＯ）、制御部１０８は、画像データを画像サーバ装置４０へ送信するよう、通信制御部１０３を制御する（ステップＳ１１４）。
（画像データの送信処理の詳細）
図３のステップＳ１０８、Ｓ１１０、Ｓ１１２及びＳ１１４における画像データの送信の詳細の動作について、図４に示すフローチャートを用いて説明する。
【００３３】
制御部１０８は、ステップＳ１０４において生成された再生画像データについて、ヒストグラムを生成する。ヒストグラムとは、再生画像データを構成する各画素の明るさを所定の複数のクラスに分け、再生画像データを構成する全ての画素について、その明るさが、どのクラスに分類できるかを判断し、各クラス毎に分類される画素の数を集計することにより、生成される度数分布表である（ステップＳ１３１）。
【００３４】
再生画像データが、手書きによるものである場合には、１つのクラス又は隣接する少数のクラスに度数が集中する。生成された度数分布表において、１つのクラス又は隣接する少数のクラスに度数が集中する場合には、制御部１０８は、その撮影対象は、手書きによるものと判断する（ステップＳ１３２でＹＥＳ）。そうでない場合には（ステップＳ１３２でＮＯ）、風景や動物や人物などが撮影されたものと判断する。
【００３５】
手書きによるものと判断する場合（ステップＳ１３２でＹＥＳ）、制御部１０８は、記憶部１０９の代替画像領域に記憶されている蓄積画像を検索して（ステップＳ１３３）、手書きによるものと類似する蓄積画像を抽出できれば（ステップＳ１３４でＹＥＳ）、撮影画像に代えて抽出された蓄積画像を画像サーバ装置へ送信するように、通信制御部１０３を制御する（ステップＳ１３６）。
【００３６】
手書きによるものと類似する蓄積画像を抽出できなければ（ステップＳ１３４でＮＯ）、撮影画像を画像サーバ装置へ送信するように、通信制御部１０３を制御する（ステップＳ１３５）。
手書きによるものでないと判断する場合（ステップＳ１３２でＮＯ）、制御部１０８は、撮影画像を画像サーバ装置へ送信するように、通信制御部１０３を制御する（ステップＳ１３５）。
【００３７】
（蓄積画像の検索）
図４のステップＳ１３３の蓄積画像の検索処理の詳細について、図５に示すフローチャートを用いて説明する。
制御部１０８は、再生画像データから、当該再生画像データを構成するエッジを抽出し（ステップＳ１５１）、さらに、エッジの各端点の座標値を算出する（ステップＳ１５２）。次に、得られた座標値を標準化する。標準化とは、再生画像データの座標系を、再生画像データの枠を基準として、標準値に変換するものである。これにより、どのような大きさの画像データであっても、同一基準による比較対象とすることができる（ステップＳ１５３）。
【００３８】
次に、制御部１０８は、記憶部１０９の代替画像領域に蓄積されている１個の蓄積画像を選択する（ステップＳ１５４）。全ての蓄積画像について選択が終了すれば（ステップＳ１５５でＹＥＳ）、検索対象の蓄積画像がないものとして画像検索の処理を終了する。
選択が終了していなければ（ステップＳ１５５でＮＯ）、次に、選択した蓄積画像について、ステップＳ１５１、Ｓ１５２、Ｓ１５３と同様に、エッジの抽出、各エッジの端点の座標値の算出、標準化を行う（ステップＳ１５６〜Ｓ１５８）。
【００３９】
次に、再生画像データ及び蓄積画像の両方について、エッジ及び端点の座標値を比較して、再生画像データ及び蓄積画像の類似を判断する（ステップＳ１５９）。
類似しているなら（ステップＳ１６０でＹＥＳ）、当該蓄積画像を撮影画像の代わりに用いる。
類似していないなら（ステップＳ１６０でＮＯ）、ステップＳ１５４へ戻って処理を繰り返す。
【００４０】
３．まとめ
以上説明したように、上記の実施の形態によると、利用者が撮影画像を用いた検索を行う場合に、携帯電話１００に対して、所定の操作を行い、これにより、携帯電話１００は、画像検索用の撮影モードに設定される。
次に、撮影の指示が実行されたか否かを監視し、撮影指示がされた場合には、撮影画像データをメモリに保存し、ディスプレィに表示する。
【００４１】
このときに、ディスプレィには、図２に示す撮影画像表示画面２００が表示され、このとき、２種類のキーワードの入力の受け付けが可能となる。第１のキーワードは、画像キーワードであり、第２のキーワードは、その他のキーワードである。キーワードの入力は、任意であり、キーワードを全く入力しないことも選択できるし、１種類のキーワードを入力することもできるし、２種類のキーワードを入力することもできる。
【００４２】
入力されたキーワードは、撮影画像データとともに、画像サーバ装置４０へ送信される。
撮影画像データが手書きによるものである場合には、携帯電話１００内に蓄積されている蓄積画像の中から、撮影画像データに類似するものを選択し、撮影画像データに代えて、選択された蓄積画像が、画像サーバ装置４０へ送信される。
【００４３】
このように、本発明では、思い描いたイメージを手書きし、携帯電話に備えられたカメラ装置でこれを撮影し、その画像を使用してネットワークに接続されている画像サーバ装置にアクセスし、検索を行うことができる。これにより、名称などキーワードが不明な場合であっても、画像サーバ装置のデータベース上の蓄積されている画像データから所望の適切な画像データを抽出することができる。
【００４５】
例えば、蓄積画像が、それぞれ、山の風景、海の風景、人物、馬、猫、犬、高層ビル、橋、寺院を写して形成される画像データである場合に、前記キーワードは、「山」、「海」、「人」、「馬」、「猫」、「犬」、「高層ビル」、「橋」、「寺院」である。
また、例えば、キーワードは、さらに、それらのものに付された固有の名称であってもよい。例えばえば、蓄積画像が、それぞれ、山の風景、海の風景、人物、馬、猫、犬、高層ビル、橋、寺院を写して形成される画像データである場合に、前記キーワードは、「富士山」、「太平洋」、「伊藤博文」、「ハイセイコー」、「ペルシャ猫」、「トイプードル」、「エンパイアステートビル」、「明石海峡大橋」、「法隆寺」である。
【００４６】
この場合に、制御部１０８は、撮影画像に類似する蓄積画像が抽出された場合に、さらに、抽出した前記代替画像に対応付けられた前記キーワードを抽出する。また、制御部１０８は、抽出された蓄積画像とともに、さらに、抽出された蓄積画像に対応するキーワードを画像サーバ装置へ送信するように、通信制御部１０３を制御する。
（２）撮影画像と共に送信されるデータは、テキストのデータである必要はない。例えば、図２に示す撮影画像表示画面２００に、検索したいイメージの色彩に関する選択項目を設け、複数の色見本が表示され、利用者は、表示された色見本から所望の色を選択し、携帯電話１００は、選択された色を示す色彩値を、画像サーバ装置４０へ送信するとしてもよい。
【００４７】
また、例えば、利用者が利用者の好みの洋服の生地を撮影することにより、携帯電話１００は、利用者が所望する画像を構成する主色彩を撮影し、利用者により撮影された色画像を画像サーバ装置４０へ送信するとしてもよい。
これらの色彩値や色画像は、画像サーバ装置４０において、検索対象を限定するために用いられる。具体的には、画像サーバ装置４０は、これらの色彩値や色画像を主たる色彩とする画像を抽出する。
【００４８】
ここで、この画像サーバ装置４０は、例えば、インターネットショッピングのためのサーバ装置であるとしてもよい。サーバ装置は、これらの色彩値や色画像により示される色彩に合致する生地又は類似する生地を用い、上述したキーワードに合致するサイズにより作製された洋服に関する洋服情報を内部から検索し、検索した得られた洋服情報を携帯電話１００へ送信する。ここで、洋服情報は、洋服の外観を写した画像及び洋服のサイズなどに関する情報を含む。
【００４９】
また、この画像サーバ装置４０は、例えば、インターネットのＷｅｂページを検索するための検索装置であるとしてもよい。この検索装置は、上述したキーワードを含み、これらの色彩値や色画像によりに合致する色彩を用いてＷｅｂぺージを検索し、検索した得られたＷｅｂぺージを携帯電話１００へ送信する。
（３）画像サーバ装置４０は、携帯電話１００の利用者が有するものであるとしてもよい。画像サーバ装置４０は、前記利用者の自宅に設置されており、画像とキーワードとを対応付けて記憶している。キーワードは、対応する画像を特徴付けるものである。
【００５０】
利用者の操作により、携帯電話１００は、画像サーバ装置４０から所望する画像を取得する。
（４）上記の各装置は、具体的には、マイクロプロセッサ、ＲＯＭ、ＲＡＭ、などから構成されるコンピュータシステムである。前記ＲＡＭ又は前記ハードディスクユニットには、コンピュータプログラムが記憶されている。前記マイクロプロセッサが、前記コンピュータプログラムに従って動作することにより、各装置は、その機能を達成する。ここで、コンピュータプログラムは、所定の機能を達成するために、コンピュータに対する指令を示す命令コードが複数個組み合わされて構成されたものである。
【００５１】
（５）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
【００５２】
また、本発明は、前記コンピュータプログラム又は前記デジタル信号を、電気通信回線、無線又は有線通信回線、インターネットを代表とするネットワーク、データ放送等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【００５３】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（６）上記実施の形態及び上記変形例をそれぞれ組み合わせるとしてもよい。
【産業上の利用可能性】
【００５４】
本発明を構成する各装置は、電器機器製造産業において、経営的に、また継続的及び反復的に、製造し、販売することができる。
【図面の簡単な説明】
【００５５】
【図１】画像検索システム１の構成を示す構成図である。
【図２】表示部１１３により表示される画面の一例としての撮影画像表示画面２００、画像キーワード入力画面２１０及びその他キーワード入力画面２２０を示す。
【図３】制御部１０８による画像検索における全体の制御を示すフローチャートである。
【図４】制御部１０８による画像データの送信の詳細の動作を示すフローチャートである。
【図５】制御部１０８による蓄積画像の検索処理の詳細の動作を示すフローチャートである。
【符号の説明】
【００５６】
１    画像検索システム
１０    無線基地局
２０    携帯電話網
３０    インターネット
４０    画像サーバ装置
１００    携帯電話
１０１    アンテナ
１０２    無線通信部
１０３    通信制御部
１０５    ＤＡ変換部
１０６    マイク
１０７    ＡＤ変換部
１０８    制御部
１０９    記憶部
１１０    画像圧縮部
１１１    カメラ部
１１２    入力部
１１３    表示部
１１４    画像伸張部
【図１】
0005113327.tif 000002
【図２】
0005113327.tif 000003
【図３】
0005113327.tif 000004
【図４】
0005113327.tif 000005
【図５】
0005113327.tif 000006